(57)【特許請求の範囲】
【請求項１】
目地が可とう継手により止水される止水構造であって、細長い熱可塑性エラストマー系の防水シート及び少なくとも1対の細長い剛性の板状体を備える可とう継手を有し、前記各板状体が前記防水シートの内面に互いに側面を離間させて長手方向に接着固定されており、前記各板状体の間に前記防水シートからなる可とう部が形成されており、不定形シーリング材が前記各板状体の内側に長手方向に設けられており、止め付け部材が、前記防水シート、前記板状体及び前記不定形シーリング材をこの順で貫通しており、前記可とう継手が目地の両側の被止水物面に固定されていることを特徴とする、止水構造。
【請求項２】
前記防水シートが軟質の塩化ビニル樹脂であり、前記各板状体が鋼板であり、前記鋼板が、軟質の塩化ビニル樹脂が積層されている樹脂被覆鋼板の樹脂面を前記防水シートと接着することによって、前記防水シートに固定されている、請求項1に記載の止水構造。
【請求項３】
前記板状体が幅方向の両端に補強部分を有する、請求項１又は２に記載の止水構造。
【請求項４】
目地を止水するにあたり、
（ａ）可とう継手用の細長い熱可塑性エラストマー系の防水シート及び少なくとも1対の細長い剛性の板状体を準備する工程、
（ｂ）可とう継手を準備する工程であって、前記各板状体を、前記防水シートの内面に互いに側面を離間させて長手方向に接着固定し、前記各板状体の間に前記防水シートからなる可とう部を形成する工程、
（ｃ）不定形シーリング材を、前記各板状体の内側に長手方向に設ける工程、及び
（ｄ）止め付け部材によって、前記防水シート、前記板状体及び前記不定形シーリング材をこの順に貫通させて、前記可とう継手を目地の両側の被止水物面に固定する工程
を含むことを特徴とする、目地の止水工法。
【請求項５】
目地部の改修のために用いられる、請求項４に記載の止水工法。
【発明の詳細な説明】
【技術分野】
【０００１】
本発明は、目地止水用可とう継手及びその使用に関し、更に詳しくは、コンクリート構造物等の水路目地の漏水部分又は漏水の恐れのある部分を止水する水路目地の改修可とう継手、それによる止水構造及び止水工法に関するものである。
【背景技術】
【０００２】
従来の水路目地は、目地に、モルタルやウレタン系、シリコン系等の弾性シーリング材等の色々な充填材を充填して、止水しているが、地盤沈下に伴う水路の不等沈下や、交通振動による水路の動き、また温度による膨張収縮での水路の動きが発生すると、目地に変位が発生し充填材が変位に追従できない場合は、漏水する可能性がある。また、ウレタン系、シリコン系等の弾性シーリング材は目地溝に接着して使用するため下地処理やプライマー処理が必要で、特に改修時は下地が劣化しているため、処理が困難で熟練を要する。ウレタン系、シリコン系等の弾性シーリング材は経年によって劣化し硬化するが、硬化物は目地の変位に追従できず、接着界面の剥離やシーリング材自体の破断に至り漏水が発生する。
【０００３】
水路目地の止水構造として、長尺帯状の弾性体製の目地材の中程を曲折成形して長手方向に溝状の余長部を形成し、水路目地に形成した凹部に余長部を納め、余長部両側の係止部を水路壁面に固着することが知られている(例えば特許文献1参照)。また、弾性防水シートの弾性伸縮領域部で水路の接合部を覆い、防水剤を介して水路のコンクリート表面に接着固定することで、接合部隙間が生じたときに弾性的に追随する構造及び弾性防水シートが知られている(例えば特許文献2参照)。
【特許文献１】特開2000-64446号公報
【特許文献２】特開2001-262677号公報
【発明の開示】
【発明が解決しようとする課題】
【０００４】
図10は1例の従来の止水構造を示す断面図である。特許文献1では、図10に示すが如く、目地材101の余長部102を、目地部103に形成された凹部104に納め、目地材両側の係止部105を壁面にボルトとナット等の固定具106によって押え板107を介して締め付け固定することにより、連続する水路が変位によって傾いたりした場合に、余長部によって対応できる目地部で止水性を保持し得るとするものであるが、余長部は凹部に納まる形状のため流水に乱流を生じ流れを阻害し、また凹部に砂利、泥等が堆積し干水時に植物の成長による根の攻撃を受け弾性体が破損し漏水する危険性がある。また、弾性体製目地材両側の係止部を、ボルトとナット等の固定具106によって押え板107を介して水路壁面に締め付け固定するが、弾性体を、ボルト・ナットで押え板を介して締め付けても、ボルト・ナット付近は良く締まるが、ボルト・ナットの中間部は押え力が小さく漏水の危険性がある。そのため、ボルト・ナットの間隔を短くする必要があり、取付作業性が悪くなる。また、弾性体製目地材を壁面に締め付けて止水するため、改修水路のような壁面の凹凸が大きい場合は、凹凸部より漏水する。
【０００５】
図11は他の例の従来の止水構造を示す斜視図である。特許文献2では、図11に示すが如く、水路目地溝201間にゴム質弾性シート202の弾性伸縮領域部203を設け、弾性伸縮領域部203の両側の固定領域部204，204の裏面に接着剤の保持層205を設け、保持層205に保持された防水材206を介して水路コンクリート表面207に接着固定するもので、振動などの外力で目地溝に変位が生じたときに弾性伸縮領域部203がこれに追随して弾性的に伸び得るとするものであるが、防水材206を介して接着固定するために不織布等の保持層やエポキシ系プライマを必要とし、接着下地の水分や汚れ等の処理を必要とする。また、改修水路のようなコンクリート表面の凹凸が大きい場合は、モルタル等で下地の平滑処理を行わなければならない。また、弾性伸縮領域部203が弾性的に伸びると、ゴム質弾性シート202の接着固定部に負荷がかかり、接着固定部が剥離する危険性がある。
【０００６】
解決しようとする問題点は、上記のような弾性体製目地材の押え板をボルト等を締め付け固定するときのボルト間の浮きによる漏水やゴム質弾性シートの伸長時の接着面の剥離による漏水等であり、このような問題の解決を図るのが本発明の課題である。
【課題を解決するための手段】
【０００７】
本発明は、目地が可とう継手により止水される止水構造であって、細長い熱可塑性エラストマー系の防水シート及び少なくとも1対の細長い剛性の板状体を備える可とう継手を有し、前記各板状体が前記防水シートの内面に互いに側面を離間させて長手方向に接着固定されており、前記各板状体の間に前記防水シートからなる可とう部が形成されており、不定形シーリング材が前記各板状体の内側に長手方向に設けられており、止め付け部材が、前記防水シート、前記板状体及び前記不定形シーリング材をこの順で貫通しており、前記可とう継手が目地の両側の被止水物面に固定されていることを特徴とする、止水構造及び止水工法に係るものである。
【発明の効果】
【０００８】
細長い防水シートの内側で少なくとも1対の細長い剛性の板状体を長手方向に固定し、各板状体の間で防水シートによる可とう部を形成させ、各板状体の内側で長手方向に設ける不定形シーリング材を被止水物の表面に密着させることで、水路目地の漏水箇所等の改修等において、目地での可とう継手の水密性をより一層効率的に確実なものとすることができる。
【発明を実施するための最良の形態】
【０００９】
弾性体製目地材を押え板やボルト等によって水路目地部に固定する際におけるボルト間での漏水やゴム質弾性シートの伸長時の接着面の剥離による漏水等を防止するという目的を、防水シート自体をその表面から押え板で被止水物の表面に押え付けて密着させるのではなく、防水シートの内面に、少なくとも1対の剛性の板状体を互いの側面を離間させて固定し、各板状体間に防水シートによる可とう部を形成させ、各板状体の内側で不定形シーリング材を被止水物面、例えば水路面に密着させることによって、施工性を損なわずに実現する。
【実施例】
【００１０】
図面を参照して、本発明の実施の形態について説明する。
図1は1例の止水構造の斜視図である。図2は図1の止水構造の断面図である。図3は図1の止水構造を長手方向の断面で見た部分断面図である。図4(a)は1例の鋼板の横断面図であり、図4(b)は図4(a)の鋼板の上面図である。図5(a)は1例の防水シート積層鋼板の横断面図であり、図5(b)は図5(a)の防水シート積層鋼板の上面図である。図6は1例の止水工法の工程を示す部分断面図である。図7は止水工法の他の工程を示す部分断面図である。図8は止水工法の更に他の工程を示す部分断面図である。図9は止水構造の1例の変位状態の部分断面図である。
【００１１】
図1〜5に示すように、1例の止水構造1では、被止水物、止水対象物、例えば水路2の、目地3の両側の被止水物の表面、例えば水路面4に、可とう継手、例えば、改修可とう継手5を用いる。止水構造1において、可とう継手5は、細長い熱可塑性エラストマー系の防水シート5A、少なくとも1対の細長い剛性の板状体5B、例えば、鋼板、不定形シーリング材5C及び止め付け部材5Dを備える。
【００１２】
熱可塑性エラストマー系の防水シート5Aと板状体5Bとには、防水シート5Aの幅方向の両端部の裏面部に、板状体5Bを接着し、防水シート部材、すなわち防水シート付き板状体を形成させたものを用いることができる。これは、板状体5Bの少なくとも片面に熱可塑性エラストマー系防水材を被覆した積層板状体、例えば、積層鋼板を用い、その熱可塑性エラストマー系防水材の面を防水シート5Aに接着して形成することができる。
【００１３】
目地3の両側の部分の一方及び他方の水路面4上には板状体5Bを設けるが、板状体5Bの水路面側には、不定形シーリング材5Cが設けられ、防水シート5Aの表面から、防水シート5A、板状体5B及び不定形シーリング材5Cを貫通し、水路面4に固定する止め付け部材5Dで、可とう継手5が目地3の両側の水路面4上に固定される。
【００１４】
板状体5B間には、目地の変位に追従する防水シート5Aによる可とう部5Eが形成される。可とう部5Eは目地に沿わされて配置される。
【００１５】
可とう継手5は、板状体5Bと水路面4等の下地との間では、不定形シーリング材5Cが存在し、負荷がかからず、不定形シーリング材5Cが板状体5Bによって水路面4等に密着して、止水性・耐久性に優れ、目地3間が開いても、板状体5B間の防水シート5Aの可とう部が追従し、止水構造1は、施工性、止水性、及び耐久性に優れ、かかる止水構造の施工性を損なうことなく、効率的な止水工法を提供できる。
【００１６】
熱可塑性エラストマー系防水シート5Aが軟質の塩化ビニル樹脂で、板状体5Bには、軟質の塩化ビニル樹脂からなる熱可塑性エラストマー系防水材が積層されているものを用いると、両者を融着等によって接着することで、互いに確実で耐久性に優れた状態で接着した防水シート付き板状体が得られる。このような防水シート付き板状体は、上述の可とう継手に用いて止水構造、その施工性の面で極めて有用である。
【００１７】
図1では、本発明の1例の水路目地の止水構造1の斜視図を示す。水路2はU字形状で所定間隔に水路目地3を水路面4に有するもので、水路目地3の一部で、その両側の水路面4に、可とう継手5が取り付けられている。
【００１８】
目地は、水路目地に限られたものではなく、各種の溝や、円形、矩形、馬てい形、卵形の管きょ、マンホール、トンネル、等の構造物、被止水物、止水対象物等の目地等が含まれ、目地様部分、継ぎ目、改修対象の継ぎ目、場合によっては亀裂等の改修すべき部分、止水対象部分も同様である。
【００１９】
水路は、U字形状に制限されるものではなく、断面で矩形、半円形、半楕円形等、種々の形状であってよい。また水路は、コンクリート製のものが多いが、特に制限されることなく、種々の材質のものであってよい。
【００２０】
水路等で、コンクリート製のものには、工場で2m長さ程度に予備成形(プレキャスト)されたものや、現地でコンクリートを打設し成形するものが含まれる。コンクリート製品の寿命は50年程度と云われているが、30年程度で風雨及び流水等で表面のセメントが浸食され、コンクリート成分の砂利が浮き出た凹凸状態になっているものが多い。かかる水路は、目地の補修に際して、特に可とう継手等との接合面の十分な水密性が要求される。
【００２１】
図2は水路2での可とう継手5の断面を示すもので、水路2の壁2Aの天端2Bには、天端カバープレート6が設けられる。可とう継手5は所定の間隔に止め付け部材5Dで水路面4に機械的に固定される。天端カバープレート6は可とう継手5とほぼ同様な構成を有し、可とう継手5に一部重なった部分と水路壁天端とに機械的に止め付け部材5Dで固定される。天端カバープレートは、必要に応じて更に止水性を得る等のために用いることができる。
【００２２】
図3は、目地3の部分で、止水構造1を長手方向の断面で見たもので、可とう継手5を取り付けた状態の横断面を示す。水路目地3の両側の水路面4には、不定形シーリング材5Cが板状体5Bで圧着され、水路面4と板状体5Bとの間を充填し、止水する。
【００２３】
板状体は、剛性のものであることが要求されるが、その他特に制限されることなく、種々の材質、形状、組合せ等で設計することができる。好ましくは、施工性、種々の止水対象物に沿うように適用可能であることを考慮すると、鋼板、プラスチック板、繊維強化プラスチック板、樹脂コート木質板等である。
【００２４】
板状体は、軟質の塩化ビニル樹脂が積層されている樹脂被覆板状体、特に樹脂被覆鋼板の樹脂面を防水シートと接着することによって防水シートに固定されるのがよい。鋼板は少なくとも防水シート接着面に樹脂層を有すればよいが、全面に樹脂を被覆してあれば、防錆等でも良好である。また、好ましくは板状体は、幅方向の両端に、鋼板の折り返し部、同質又は異質部材の積層部等の補強部分を有する。
【００２５】
図4に、1例の積層板状体7を示す。板状体7Aには、熱可塑性エラストマー系の防水シートと同質の防水材層7Bが被覆される。板状体7Aとしては、亜鉛引き鋼板や、ステンレス鋼板等の腐食し難い材質のものが望ましい。
【００２６】
防水シートと板状体との固定には、可とう継手が止水対象物に固定されるときに、防水シートと板状体との間で剥離が生じて漏水等の問題を引き起こしてはならないが、そのような問題が生じない限りにおいて、種々の手段、方法を用いることができる。特に制限されないが、板状体の少なくとも1方の面に、予め被覆層を設け、これと防水シートとを同じ熱可塑性エラストマー材質、例えば、軟質の塩化ビニル樹脂とし、熱融着、溶着、接着剤等により互いを強固に接着することができる。熱可塑性エラストマーが軟質の塩化ビニル樹脂の場合は、テトラヒドロフランによる溶剤溶着でも強固な接着が得られる。好ましくは、熱融着、溶剤溶着とも、同質又は同等の材料の接着であり、十分に強固で耐久性の点に優れる。
【００２７】
図5は可とう部を有する防水シート部材8を示し、これは防水シート付き鋼板である。防水シート9の裏面部の幅方向の両側に、積層鋼板10を配し、積層鋼板10間には、可とう部11が設けられる。
【００２８】
防水シートは、熱可塑性エラストマー系材料よりなればよいが、好ましくは、軟質の塩化ビニル樹脂系エラストマー、オレフィン系エラストマー、スチレン系エラストマー、ウレタン系エラストマー等からなる群より選ばれる材質のものである。細長いとは、特に一定の形状に制限するものではなく、止水すべき目地に合わせた長さを有し、止水性が十分に発揮される幅を備えることを意味する。
【００２９】
なお、接着剤を用いる異種材質間の接着は、大抵、低い接着性、耐久性等に問題を生じ易く、水路の改修目地材の接着には不向きであることが多いので、異種材質の部材を用いる場合には注意を要する。防水シートは、その表面より止め付け具等の固定手段で、水路目地の両側の板状体を水路面に固定するので、その際に防水シートと板状体との固定が十分であれば、水路目地での水密性が維持される。
【００３０】
より一層水密性を確実なものとするためには、同質又は同等の材料を用いるのに加え、止め付け具等の固定手段の種類、数等を調整し、水路目地の両側に固定される板状体と熱可塑性エラストマー系防水シートとを強固に接着固定する。目地間隔が開き、熱可塑性エラストマー系防水シートに引張力が発生しても、熱可塑性エラストマー系防水シートは止め付け具等で板状体と強固に接着固定して剥離することがなく、また板状体は、止め付け具で水路面に機械的に固定されるため、板状体と水路面の間を充填している不定形シーリング材に負荷がかからず、安定した止水性が継続できる。
【００３１】
不定形シーリング材は、特に制限されないが、ウレタン系、シリコン系、変成シリコン系、エポキシ系、アクリル系、ブチルゴム系、チオコール系等の不定形のコーキング材、シール材等からなる群より選ばれる材質のものを用いることができる。不定形シーリング材は、可とう継手の一部の構成物であり、可とう継手は、防水シート、板状体、止め付け部材と共に、不定形シーリング材と組み合わせて構成され、用いられる。
【００３２】
止め付け部材は、特に制限されることなく、種々の手段のものを、種々の方法等で用いることができる。スクリューネジ等のネジ類、金属拡張アンカーや接着系アンカー及びフィシャープラグ等のあと施工アンカー類等からなる群より選ぶことができる。
【００３３】
可とう継手は、防水シートと板状体との固定に加え、板状体の被止水物面側には、不定形のシーリング材が備わり、目地やその間隔に変位が発生しても、板状体間の可とう部の熱可塑性エラストマー系の防水シートが伸縮し、追従するため、目地での水密性が維持できる。また、被止水物内を流れる水等の流体物、流動物等は、可とう継手がその内側から設けられても、目地の両側に連続する防水シートの表面を円滑に流れることができる。
【００３４】
上述のような可とう継手は、目地部の改修用に用いることができ、その場合に特に、効率的な施工性、著しい水密性を発揮する。これは、防水シート部材による十分な止水性と可とう性の発揮、経年の劣化等による被止水物面、特に水路面の凹凸に密着する不定形コーキング材によって、より一層確実に漏水等を防ぐことができるからである。もちろん可とう継手は、新設の粗面水路等においても、被止水物の外側からでも、目地部の止水に用いることができる。
【００３５】
可とう継手は、止水構造を施工する止水工法のために、特に水路目地を可とう継手を用いて改修等し、止水する止水工法に用いることができる。止水工法において、可とう継手は、上述のような構成を有することができ、特に熱可塑性エラストマー系の防水シートと、板状体と、不定形シーリング材と、止め付け部材とよりなればよい。
【００３６】
熱可塑性エラストマー系の防水シートと板状体、特に防水シートと鋼板とは、予め、前記防水シートのシートの長手方向にわたり、防水シートの幅方向の両端裏面部に、積層鋼板の熱可塑性エラストマー系防水材を被覆した面を接着した防水シートと鋼板とからなる防水シート部材を作製し、それを使用することができる。
【００３７】
上述のような防水シート部材を水路目地に施工するには、目地部の一方及び他方の水路面の鋼板下部位置に、不定形シーリング材を打設し、鋼板間の可とう部を目地部に沿わせ防水シート部材を圧着位置決めし、可とう継手の防水シートの表面から、防水シート、鋼板及び不定形シーリング材を貫通し、水路面に固定する止め付け部材で、防水シート部材を目地の両側の水路面に固定し、水路目地を止水する。
【００３８】
図6は1例の可とう継手の施工方法を示すもので、防水シート付き鋼板12の内側、特に鋼板12Bの内側で、水路目地3の両側の水路面4上に、不定形シーリング材13を、コーキングガン等を用いて打設した状態を示す。防水シート付き鋼板12は、防水シート12Aの幅方向両端部に積層鋼板12Bを接着したものであり、可とう部12Cを有する。不定形シーリング材13を打設した後、シート付き鋼板12の可とう部12Cを水路目地3に合わせて圧着する。
【００３９】
図7はシート付き鋼板12の防水シート12A、鋼板12Bと、不定形シーリング材13を貫通し、水路面4内に、ハンマードリル14で下穴15を明ける工程を示す。この時点で不定形シーリング材13は硬化していない状態である。図8は図7で明けた下穴15に止め付け具16を挿入し、可とう継手、特に防水シート12Aを固定する工程を示す。止め付け具は、前述の止め付け部材の1例であり、スクリューネジ等のネジ類でよい。
【００４０】
図9は可とう継手17を取り付けた止水構造18であり、水路面19の水路目地20における開き、及び段差が生じた状態を示す。また、水路面19には、より一層大きな凹凸状態が形成されており、その場合にも、可とう継手17は十分な水密性を示す。また、可とう継手17の両端部には水路面19と可とう継手17の段差に対し、水の流れを円滑にすることができる不定形シーリング材17Cによる傾斜部17Fが形成されている。可とう継手17は、前述の可とう継手と同様に、防水シート17A、板状体17B、不定形コーキング材17C、止め付け部材17Dを備え、可とう部17Eを形成する。
【産業上の利用可能性】
【００４１】
以上の説明から明らかなように、細長い防水シートとその幅方向の両端に固定された少なくとも1対の細長い剛性板状体とからなる防水シート部材は、水路目地等の漏水箇所に不定形シーリング材を介して固定することにより、十分な止水性を提供し、効率的な施工を可能にして、止水対象物における施工性及び耐久性に優れた種々の止水構造の提供にも利用できる。
【図面の簡単な説明】
【００４２】
【図１】1例の止水構造の斜視図である。
【図２】図1の止水構造の断面図である。
【図３】図1の止水構造を長手方向の断面で見た部分断面図である。
【図４】(a)は1例の鋼板の横断面図であり、(b)は(a)の鋼板の上面図である。
【図５】(a)は1例の防水シート積層鋼板の横断面図であり、(b)は(a)の防水シート積層鋼板の上面図である。
【図６】1例の止水工法の工程を示す部分断面図である。
【図７】止水工法の他の工程を示す部分断面図である。
【図８】止水工法の更に他の工程を示す部分断面図である。
【図９】止水構造の1例の変位状態の部分断面図である。
【図１０】1例の従来の止水構造を示す断面図である。
【図１１】他の例の従来の止水構造を示す斜視図である。
【符号の説明】
【００４３】
1  止水構造
2  水路
3  目地
4  水路面
5  改修可とう継手
5A  防水シート
5B  剛性の板状体
5C  不定形シーリング材
5D  止め付け部材
5E  可とう部
【図１】
0005019976.tif 000002
【図２】
0005019976.tif 000003
【図３】
0005019976.tif 000004
【図４】
0005019976.tif 000005
【図５】
0005019976.tif 000006
【図６】
0005019976.tif 000007
【図７】
0005019976.tif 000008
【図８】
0005019976.tif 000009
【図９】
0005019976.tif 000010
【図１０】
0005019976.tif 000011
【図１１】
0005019976.tif 000012